(57)【特許請求の範囲】
【請求項１】
操作面と、
前記操作面に対する押し込み操作を検出する押込検出部と、
前記操作面上でタッチ操作が行われた位置を複数検出する位置検出部と、
前記位置の変化および前記押し込み操作に基づいて、ローテート操作およびピンチ操作のうち少なくとも一方を受け付ける操作受付部と、を備え、
前記操作受付部は、前記押し込み操作が検出され、かつ、前記位置が変化したとき、前記ローテート操作および前記ピンチ操作のいずれか一方を受け付け、前記押し込み操作が検出されず、かつ、前記位置が変化したとき、前記ローテート操作および前記ピンチ操作の両方を受け付けるタッチ式入力装置。
【請求項２】
操作面と、
前記操作面に対する押し込み操作を検出する押込検出部と、
前記操作面上でタッチ操作が行われた位置を複数検出する位置検出部と、
前記位置の変化および前記押し込み操作に基づいて、ローテート操作およびピンチ操作のうち少なくとも一方を受け付ける操作受付部と、を備え、
前記操作受付部は、前記押し込み操作が検出され、かつ、前記位置が変化したとき、前記ローテート操作および前記ピンチ操作の両方を受け付け、前記押し込み操作が検出されず、かつ、前記位置が変化したとき、前記ローテート操作および前記ピンチ操作のいずれか一方を受け付けるタッチ式入力装置。
【請求項３】
前記操作受付部は、前記押し込み操作および前記位置が検出されたとき、各位置の距離方向の変化量および回転方向の変化量を算出し、前記回転方向の変化量が前記距離方向の変化量に比べて大きい場合、前記ローテート操作を受け付け、前記距離方向の変化量が前記回転方向の変化量に比べて大きい場合、前記ピンチ操作を受け付ける、請求項１に記載のタッチ式入力装置。
【請求項４】
前記押込検出部は、前記操作面を押し込む際の押し込み量を検出する、請求項１ないし３のいずれかに記載のタッチ式入力装置。
【請求項５】
画面に画像を表示する画像表示部を備え、
前記画面が前記操作面である、請求項１ないし４のいずれかに記載のタッチ式入力装置。
【請求項６】
前記押込検出部は、キラル高分子から形成される圧電フィルムを有する、請求項１ないし５のいずれかに記載のタッチ式入力装置。
【請求項７】
前記キラル高分子はポリ乳酸である、請求項６に記載のタッチ式入力装置。
【請求項８】
前記ポリ乳酸はＬ型ポリ乳酸である、請求項７に記載のタッチ式入力装置。
【発明の詳細な説明】
【技術分野】
【０００１】
本発明は、タッチ操作を受け付けるタッチ式入力装置に関する。
【背景技術】
【０００２】
現在広く普及している多機能携帯端末はタッチ式入力装置としての機能を有する。多機能携帯端末のユーザは、画面上で指を移動させることにより、画像を回転させたり、拡大縮小させたりする。従来の多くの多機能携帯端末では、画像の回転および拡大縮小が同時に行われている。【０００３】
また、タッチ式入力装置として、例えば、特許文献１に記載の画像編集装置がある。この画像編集装置では、タッチ操作の操作態様に応じて、画像を回転させる回転機能と、画像を拡大縮小させる拡大縮小機能とを切り換えることができる。
【先行技術文献】
【特許文献】
【０００４】
【特許文献１】特開２０１２−７０３１０
【発明の概要】
【発明が解決しようとする課題】
【０００５】
画像の回転および拡大縮小が同時に行われる場合、画像の回転および拡大縮小を１回の操作で行うことができる。しかし、この場合、画像を回転させようとする際、指の位置がずれることにより、画像の回転とともに画像の拡大縮小が意図せず行われることがある。一方、画像の回転のみが行われる場合または拡大縮小のみが行われる場合、画像の回転または拡大縮小を誤操作なく行うことができるものの、画像の回転および拡大縮小を同時に行うことができない。そこで、画像の回転および拡大縮小を意図通りに行うためには、画像の回転のみが行われるモード、拡大縮小のみが行われるモード、ならびに、回転および拡大縮小が同時に行われるモードを操作性良く切り換えることが必要である。【０００６】
特許文献１に記載の画像編集装置では、画像の回転のみが行われるモードと拡大縮小のみが行われるモードとを操作性良く切り換えることができる。しかし、この画像編集装置では、画像の回転のみが行われるモードまたは拡大縮小のみが行われるモードから、回転および拡大縮小が同時に行われるモードに、操作性良く切り換えることができないと考えられる。【０００７】
本発明の目的は、画像の回転のみが行われるモード、拡大縮小のみが行われるモード、ならびに、回転および拡大縮小が同時に行われるモードを操作性良く切り換えることができるタッチ式入力装置を提供することにある。
【課題を解決するための手段】
【０００８】
（１）本発明の第１のタッチ式入力装置は、操作面、押込検出部、位置検出部および操作受付部を備える。押込検出部は、操作面に対する押し込み操作を検出する。位置検出部は、操作面上でタッチ操作が行われた位置を複数検出する。操作受付部は、前記位置の変化および押し込み操作に基づいて、ローテート操作およびピンチ操作のうち少なくとも一方を受け付ける。操作受付部は、押し込み操作が検出され、かつ、前記位置が変化したとき、ローテート操作およびピンチ操作のいずれか一方を受け付ける。操作受付部は、押し込み操作が検出されず、かつ、前記位置が変化したとき、ローテート操作およびピンチ操作の両方を受け付ける。
【０００９】
この構成では、位置の変化および押し込み量に基づいて、画像の回転のみが行われるモード、拡大縮小のみが行われるモード、ならびに、回転および拡大縮小が同時に行われるモードを切り換えることができる。また、各モードを切り換える際、ローテート操作またはピンチ操作を行う前に、各モードを切り換えるための切り換え操作を行う必要がない。また、各モードに割り当てられる操作は複雑にならない。このため、各モードを操作性良く切り換えることができる。
また、押し込み操作が検出されたとき、画像の回転のみが行われるモード、または、拡大縮小のみが行われるモードが選択される。押し込み操作が検出されなかったとき、回転および拡大縮小が同時に行われるモードが選択される。これにより、押し込み操作に基づいて、モードを適切に切り換えることができる。
【００１０】
（２）本発明の第２のタッチ式入力装置は、操作面、押込検出部、位置検出部および操作受付部を備える。押込検出部は、操作面に対する押し込み操作を検出する。位置検出部は、操作面上でタッチ操作が行われた位置を複数検出する。操作受付部は、前記位置の変化および押し込み操作に基づいて、ローテート操作およびピンチ操作のうち少なくとも一方を受け付ける。操作受付部は、押し込み操作が検出され、かつ、前記位置が変化したとき、ローテート操作およびピンチ操作の両方を受け付ける。押し込み操作が検出されず、かつ、前記位置が変化したとき、ローテート操作およびピンチ操作のいずれか一方を受け付ける。
【００１２】
（３）本発明の第１のタッチ式入力装置は、次のように構成されることが好ましい。操作受付部は、押し込み操作および前記位置が検出されたとき、各位置の距離方向の変化量および回転方向の変化量を算出する。操作受付部は、回転方向の変化量が距離方向の変化量に比べて大きい場合、ローテート操作を受け付け、距離方向の変化量が回転方向の変化量に比べて大きい場合、ピンチ操作を受け付ける。
【００１３】
この構成では、距離方向の変化量および回転方向の変化量に基づいて、画像の回転のみが行われるモードおよび拡大縮小のみが行われるモードを適切に切り換えることができる。【００１４】
（４）押込検出部は、操作面を押し込む際の押し込み量を検出することが好ましい。【００１５】
この構成では、押し込み量を検出することで、押し込み操作を検出することができる。【００１６】
（５）本発明の第１または第２のタッチ式入力装置は画面に画像を表示する画像表示部を備え、画面が操作面であることが好ましい。
【００１７】
この構成では、タッチ式入力装置を画面上で操作することができるので、操作性を向上させることができる。【００１８】
（６）押込検出部は、キラル高分子から形成される圧電フィルムを有することが好ましい。【００１９】
（７）キラル高分子はポリ乳酸であることが好ましい。【００２０】
（８）ポリ乳酸はＬ型ポリ乳酸であることが好ましい。【００２１】
例えば、圧電フィルムにＰＶＤＦ（ポリフッ化ビニリデン）を用いた場合、ユーザの指の体温が圧電フィルムに伝わって、圧電フィルムによる検出に影響を及ぼすおそれがある。しかし、この構成では、ポリ乳酸には焦電性がないので、圧電フィルムによる押圧量の検出を精度よく行うことができる。
【発明の効果】
【００２２】
本発明によれば、画像の回転のみが行われるモード、拡大縮小のみが行われるモード、ならびに、回転および拡大縮小が同時に行われるモードを操作性良く切り換えることができる。
【図面の簡単な説明】
【００２３】
【図１】本実施形態に係るタッチ式入力装置の外観斜視図である。
【図２】本実施形態に係るタッチ式入力装置のＡ−Ａ断面図である。
【図３】本実施形態に係るタッチ式入力装置の操作例を示す図である。
【図４】本実施形態に係るタッチ式入力装置の操作例を示す図である。
【図５】本実施形態に係るタッチ式入力装置の構成を示すブロック図である。
【図６】動作算出部６３が行う処理を示すフローチャートである。
【図７】各タッチ位置の間の距離を示す図である。
【発明を実施するための形態】
【００２４】
本発明の実施形態に係るタッチ式入力装置１０について説明する。タッチ式入力装置１０は、例えば、多機能携帯端末、音楽プレーヤ、デジタルカメラ等である。図１はタッチ式入力装置１０の外観斜視図である。タッチ式入力装置１０は、タッチパネル１１および略直方体状の筐体５０を備える。タッチパネル１１は略矩形状の画面（操作面）Ｓ１を有する。画面Ｓ１はタッチ式入力装置１０の主面（表面）の一部を形成している。画面Ｓ１は、画像を表示する表示部であるとともに、ユーザの操作を受け付ける入力部である。タッチパネル１１は、画面Ｓ１上に対するタッチ位置および押し込み量を検出することにより、ユーザの操作を受け付ける。
【００２５】
ここで、指、専用のペン等により操作面を触れる操作、さらに、指、専用のペン等を操作面に接触させながら移動させる操作をタッチ操作と称し、タッチ操作により触れた位置をタッチ位置と称する。また、指、専用のペン等により操作面がどの程度押し込まれたかを示す量を押し込み量と称する。
【００２６】
図２はタッチ式入力装置１０のＡ−Ａ断面図である。以下では、タッチ式入力装置１０の幅方向（横方向）をＸ方向とし、長さ方向（縦方向）をＹ方向とし、厚み方向をＺ方向として説明する。本実施形態の説明では、タッチ式入力装置１０のＸ方向の長さが、タッチ式入力装置１０のＹ方向の長さよりも短い場合を示している。
【００２７】
タッチ式入力装置１０は、押込センサ部２０、位置センサ部３０、表示パネル部４０および演算回路モジュール６０を備える。押込センサ部２０、位置センサ部３０および表示パネル部４０は、平板状形状であり、その主面が画面Ｓ１に平行になるように、筐体５０内に配置されている。演算回路モジュール６０は、略平板状形状であり、筐体５０内に配置されている。タッチ式入力装置１０の主面（表面）には、保護カバー５１が設けられている。画面Ｓ１は保護カバー５１の一方の主面に相当する。
【００２８】
表示パネル部４０は、平板状の液晶パネル４０１、表面偏光板４０２、裏面偏光板４０３及びバックライト４０４を備える。液晶パネル４０１では、外部から駆動電極が印加されることで、所定の画像パターンを形成するように液晶の配向状態が変化する。表面偏光板４０２と裏面偏光板４０３とは、液晶パネル４０１を挟むように配置されている。バックライト４０４は、裏面偏光板４０３を挟んで、液晶パネル４０１と反対側に配置されている。
【００２９】
表面偏光板４０２と保護カバー５１との間には、押込センサ部２０及び位置センサ部３０が設けられている。位置センサ部３０が保護カバー５１側に位置し、押込センサ部２０が表面偏光板４０２側に位置している。押込センサ部２０、位置センサ部３０および表示パネル部４０は、接着剤５０１により接着されている。
【００３０】
位置センサ部３０は平板状の絶縁性基板３０１を備える。絶縁性基板３０１は、透光性を有し、複屈折性を有さない材料からなる。絶縁性基板３０１の一方の平面には、複数の電極３０２が形成されている。他方の平面には、複数の電極３０３が形成されている。複数の電極３０２はＹ方向に長い長尺状であり、Ｘ方向に沿って間隔を空けて配置されている。複数の電極３０３はＸ方向に長い長尺状であり、Ｙ方向に沿って間隔を空けて配置されている。すなわち、複数の電極３０２，３０３は、Ｚ方向から視た場合に、略９０°に交差するよう配置されている。これら複数の電極３０２，３０３は、透光性を有する材料からなる。
【００３１】
位置センサ部３０の電極３０２，３０３それぞれは組をなしており、ユーザの指が画面Ｓ１に近接した際に静電容量変化を検出する。静電容量変化を検出した電極３０２，３０３の組は、電極３０２，３０３の一方を基準電位とし、静電容量変化に応じた静電容量検出信号を出力する。出力された静電容量検出信号は、図示しない配線を介して演算回路モジュール６０に入力される。このように、静電容量変化を検出した電極３０２，３０３の組合せから、タッチ位置を検出することができる。
【００３２】
押込センサ部２０は平膜状の圧電フィルム２０１を備える。圧電フィルム２０１の両平板面には、電極２０２，２０３が形成されている。電極２０２，２０３は、圧電フィルム２０１の平板面の略全面に形成されている。
【００３３】
圧電フィルム２０１は、キラル高分子から形成されるフィルムである。キラル高分子として、本実施形態では、ポリ乳酸（ＰＬＡ）、特にＬ型ポリ乳酸（ＰＬＬＡ）を用いている。ＰＬＬＡは、一軸延伸されている。キラル高分子はＰＶＤＦと比べて透明度が高いため、圧電フィルム２０１をキラル高分子から形成することで、表示パネル部４０に表示される画像が視認しやすい。
【００３４】
キラル高分子からなるＰＬＬＡは、主鎖が螺旋構造を有する。ＰＬＬＡは、一軸延伸されて分子が配向すると圧電性を有する。そして、一軸延伸されたＰＬＬＡは、圧電フィルム２０１の平板面が押圧されることにより、電荷を発生する。この際、発生する電荷量は、押圧により平板面が当該平板面に直交する方向へ変位する際の変位量に依存する。すなわち、発生する電荷量は押し込み量に依存する。
【００３５】
ＰＬＬＡは、延伸等による分子の配向処理で圧電性を生じるため、ＰＶＤＦ等の他のポリマーや圧電セラミックスのように、ポーリング処理を行う必要がない。すなわち、強誘電体に属さないＰＬＬＡの圧電性は、ＰＶＤＦやＰＺＴ等の強誘電体のようにイオンの分極によって発現するものではなく、分子の特徴的な構造である螺旋構造に由来するものである。このため、ＰＬＬＡには、他の強誘電性の圧電体で生じる焦電性が生じない。さらに、ＰＶＤＦ等では経時的に圧電定数の変動が見られ、場合によっては圧電定数が著しく低下する場合があるが、ＰＬＬＡの圧電定数は経時的に極めて安定している。したがって、周囲環境に影響されることなく、押圧による変位を高感度に検出することができる。
【００３６】
電極２０２，２０３として、ＩＴＯ、ＺｎＯ、銀ナノワイヤ、カーボンナノチューブ、グラフェン等の無機系の電極、ポリチオフェン、ポリアニリン等を主成分とする有機系の電極のいずれかを用いるのが好ましい。これらの材料を用いることで、透光性の高い導体パターンを形成できる。このような電極２０２，２０３を設けることで、圧電フィルム２０１が発生する電荷を電位差として取得でき、押し込み量に応じた電圧値の押込量検出信号を外部へ出力することができる。押込量検出信号は、図示しない配線を介して演算回路モジュール６０に出力される。
【００３７】
演算回路モジュール６０は表示パネル部４０の裏面側に配置されている。具体的には、筐体５０内における表示パネル部４０の裏面側の空間には、実装基板（図示せず）が配置されており、演算回路モジュール６０は、その実装基板上に実装されている。
【００３８】
図３、図４は、タッチ式入力装置１０の操作例を示す図である。図３（Ａ）は、ローテート操作を示す図である。ローテート操作では、まず、画面Ｓ１を親指および人差し指で触れる。次に、親指を軸にして、人差し指を、画面Ｓ１上で円周（回転）方向に移動させる。すなわち、ローテート操作では、第１のタッチ位置を中心として第２のタッチ位置が円周方向に移動する。ローテート操作により画像を回転させることができる。
【００３９】
図３（Ｂ）は、ピンチ操作を示す図である。ピンチ操作では、まず、画面Ｓ１を親指および人差し指で触れる。次に、親指と人差し指との間隔を変化させるように、これらの指を画面Ｓ１上で移動させる。すなわち、ピンチ操作では、第１のタッチ位置と第２のタッチ位置との間隔が変化する。ピンチ操作により画像を拡大縮小させることができる。
【００４０】
図４（Ａ）は、複合操作を示す図である。複合操作では、ローテート操作およびピンチ操作が同時に行われる。具体的には、まず、画面Ｓ１を親指および人差し指で触れる。次に、親指を軸にして、人差し指を円周方向に移動させると同時に、人差し指を半径（距離）方向に移動させる。すなわち、複合操作では、第１のタッチ位置を中心として、第２のタッチ位置が円周方向および半径方向に移動する。所定のモードにおいて、複合操作により画像の回転および拡大縮小を同時に行うことができる。詳細については後述する。
【００４１】
図４（Ｂ）は、押し込み操作を示す図である。画面に触れている指のうち少なくとも１本で画面を押す。すなわち、タッチ位置の少なくとも１つを押し込む。押し込み操作により表示変更のモードを切り替えることができる。詳細については後述する。
【００４２】
図５は、タッチ式入力装置１０の構成を示すブロック図である。タッチ式入力装置１０は、上述のように、押込センサ部２０、位置センサ部３０、表示パネル部４０および演算回路モジュール６０を備える。
【００４３】
押込センサ部２０は、上述のように、押込量検出信号を出力する。位置センサ部３０は、上述のように、静電容量検出信号を出力する。表示パネル部４０は、上述のように、画面Ｓ１（図１参照）に画像を表示する。演算回路モジュール６０は、押込センサ部２０、位置センサ部３０および表示パネル部４０を制御し、ユーザの操作に基づいて画像の表示を変更する。
【００４４】
演算回路モジュール６０は、押込処理部６１、位置処理部６２、動作算出部６３および表示処理部６４を備える。なお、物理的には、演算回路モジュール６０は、ＣＰＵ、ＲＡＭ、ＲＯＭ、それらを結ぶバス等から構成されている。
【００４５】
押込処理部６１は、押込センサ部２０を制御するとともに、押し込み操作の有無を検出する。具体的には次のような処理が行われる。押込センサ部２０から押込量検出信号が取得される。押込量検出信号が閾値以上であるとき、押し込み操作が行われたと判定される。押込量検出信号が閾値未満であるとき、押し込み操作が行われなかったと判定される。動作算出部６３の要求に応じて、動作算出部６３に押し込み操作の有無が送信される。押込センサ部２０および押込処理部６１は本発明の押込検出部を構成する。
【００４６】
位置処理部６２は、位置センサ部３０を制御し、タッチ位置を検出する。具体的には次のような処理が行われる。位置センサ部３０から静電容量検出信号が取得される。静電容量検出信号からタッチ位置が算出される。動作算出部６３の要求に応じて、動作算出部６３にタッチ位置が送信される。位置センサ部３０および位置処理部６２は本発明の位置検出部を構成する。
【００４７】
動作算出部６３は、押し込み操作およびタッチ位置の変化に基づいて、ローテート操作およびピンチ操作のうち少なくとも一方が行われたと判定する。そして、動作算出部６３は、判定に基づいて画像の表示を変更するように、表示処理部６４に指示する。すなわち、動作算出部６３は、押し込み操作およびタッチ位置の変化に基づいて、ローテート操作およびピンチ操作のうち少なくとも一方を受け付ける。動作算出部６３は本発明の操作受付部に相当する。具体的には、動作算出部６３は、例えば、図６に示す処理を行う。図６は、動作算出部６３が行う処理を示すフローチャートである。
【００４８】
まず、位置処理部６２からタッチ位置が取得される（Ｓ１０１）。タッチ位置が２箇所である場合（Ｓ１０２：Ｙｅｓ）、そのタッチ位置が記憶される（Ｓ１０３）。タッチ位置が２箇所でない場合（Ｓ１０２：Ｎｏ）、単位時間後に、位置センサ部３０からタッチ位置が再び取得される（Ｓ１０１）。
【００４９】
単位時間前のタッチ位置が２箇所記憶されている場合（Ｓ１０４：Ｙｅｓ）、処理Ｓ１０５が行われる。単位時間前のタッチ位置が２箇所記憶されていない場合（Ｓ１０４：Ｎｏ）、単位時間後に、位置センサ部３０からタッチ位置が再び取得される（Ｓ１０１）。処理Ｓ１０１〜Ｓ１０４では、単位時間前の２箇所のタッチ位置Ａ０，Ｂ０および現在の２箇所のタッチ位置Ａ１，Ｂ１が取得される。ここで、タッチ位置Ａ０は単位時間後にタッチ位置Ａ１に移動し、タッチ位置Ｂ０は単位時間後にタッチ位置Ｂ１に移動したとする。
【００５０】
処理Ｓ１０５では、押込処理部６１から押し込み操作の有無が取得される。押し込み操作が検出された場合（Ｓ１０６：Ｙｅｓ）、処理Ｓ１０７が行われ、押し込み操作が検出されなかった場合（Ｓ１０６：Ｎｏ）、処理Ｓ１１３が行われる。処理Ｓ１０７〜Ｓ１１２では、後述のように、ローテート操作およびピンチ操作のいずれか一方が受け付けられる。処理Ｓ１１３，Ｓ１１４では、後述のように、ローテート操作およびピンチ操作の両方が受け付けられる。
【００５１】
ここで、ローテート操作の移動量ηｒおよびピンチ操作の移動量ηｐについて説明する。移動量ηｒは、一方のタッチ位置を中心として他方のタッチ位置が円周方向に移動する際の移動距離に関連づけられる。同様に、移動量ηｐはタッチ位置間の距離の変化量に関連づけられる。そして、移動量ηｐが移動量ηｒに比べて大きい場合、ピンチ操作のみが行われたと判定される。移動量ηｒがηｐに比べて大きい場合、ローテート操作のみが行われたと判定される。移動量ηｐと移動量ηｒとが等しい場合、ローテート操作およびピンチ操作は共に行われなかったと判定される。移動量ηｒ，ηｐは、タッチ式入力装置に求める動作に応じて、任意に設定される。また、移動量ηｒの設定に応じて、画像を回転させる際の角度θおよび基準点が設定される。移動量ηｐの設定に応じて、画像を拡大縮小させる際の倍率αおよび基準点が設定される。移動量ηｒは本発明の「回転方向の変化量」に相当し、移動量ηｐは本発明の「距離方向の変化量」に相当する。
【００５２】
例えば、次のように移動量ηｒ，ηｐを設定してもよい。距離ｒＡ０Ｂ０と距離ｒＡ１Ｂ１との差分を移動量ηｐとする。ここで、距離ｒｉｊは、図７に示すように、タッチ位置ｉとタッチ位置ｊとの間の距離を表す。図７は、各タッチ位置の間の距離を示す図である。また、距離ｒＡ０Ｂ０と距離ｒＡ１Ｂ１との比率を、拡大縮小の倍率αとする。タッチ位置Ａ０またはＢ０を基準点とする。
【００５３】
タッチ位置Ａ０とタッチ位置Ｂ０とを結ぶ線分と、タッチ位置Ａ１とタッチ位置Ｂ１とを結ぶ線分とがなす角度をφとして、移動量ηｒ＝ｒＡ０Ｂ０φとする。また、角度φを、画像を回転させる際の角度θとする。タッチ位置Ａ０またはＢ０を基準点とする。
【００５４】
なお、基準点としてタッチ位置Ｂ０を選択してｒＢ１Ｂ０≠０である場合、画像を回転または拡大縮小させた後、タッチ位置Ｂ０からタッチ位置Ｂ１に向かう方向に距離ｒＢ１Ｂ０だけ画像を平行移動させる。基準点としてタッチ位置Ａ０を選択してｒＡ１Ａ０≠０である場合も、同様である。これにより、タッチ位置の移動に画像を追随させることができる。
【００５５】
処理Ｓ１０７では、タッチ位置Ａ０，Ｂ０，Ａ１，Ｂ１に基づいて移動量ηｒ，ηｐが算出される。移動量ηｐが移動量ηｒに比べて大きい場合（Ｓ１０７：Ｙｅｓ）、上述のように、ピンチ操作のみが行われたと判定される。この場合、拡大縮小の倍率αおよび基準点が算出される（Ｓ１０９）。そして、動作算出部６３は、画像を拡大または縮小させることを表示処理部６４に指示するとともに、倍率αおよび基準点を表示処理部６４に送る（Ｓ１１０）。すなわち、押し込み操作が検出され、かつ、移動量ηｐが移動量ηｒに比べて大きい場合、ピンチ操作のみが受け付けられる。
【００５６】
移動量ηｒが移動量ηｐに比べて大きい場合（Ｓ１０７：Ｎｏ，Ｓ１０８：Ｙｅｓ）、上述のように、ローテート操作のみが行われたと判定される。この場合、画像を回転させる際の角度θおよび基準点が算出される（Ｓ１１１）。そして、動作算出部６３は、画像を回転させることを表示処理部６４に指示するとともに、角度θおよび基準点を表示処理部６４に送る（Ｓ１１２）。すなわち、押し込み操作が検出され、かつ、移動量ηｒが移動量ηｐに比べて大きい場合、ローテート操作のみが受け付けられる。
【００５７】
移動量ηｐと移動量ηｒとが等しい場合（Ｓ１０８：Ｎｏ）、動作算出部６３は、ピンチ操作およびローテート操作が共に行われなかったと判定し、処理を終了する。
【００５８】
処理１１３では、倍率α、角度θおよび基準点が算出される。動作算出部６３は、画像を拡大縮小および回転させることを表示処理部６４に指示するとともに、倍率α，角度θおよび基準点を表示処理部６４に送る（Ｓ１１４）。すなわち、押し込み操作が検出されなかった場合、ローテート操作およびピンチ操作の両方が受け付けられる。なお、倍率α＝１である場合、動作算出部６３は、画像を拡大または縮小させることを表示処理部６４に指示しなくてもよい。角度θ＝０である場合、動作算出部６３は、画像を回転させることを表示処理部６４に指示しなくてもよい。
【００５９】
動作算出部６３は、以上の処理を終了すると、割り込みを受ける場合等を除いて、単位時間後に再び処理Ｓ１０１を始める。これにより、ユーザの操作に応じて、画像の表示を連続的に変更することができる。
【００６０】
表示処理部６４は、表示パネル部４０を制御し、表示パネル部４０、すなわち、画面Ｓ１に画像を表示する。また、表示処理部６４は、動作算出部６３の指示に基づいて、画像の表示を変更する。表示処理部６４は、画像を回転させるように指示された場合、基準点を中心として角度θだけ回転させた画像を表示パネル部４０に表示する。表示処理部６４は、画像を拡大または縮小させるように指示された場合、基準点を中心として倍率αだけ拡大縮小させた画像を表示パネル部４０に表示する。表示パネル部４０および表示処理部６４は本発明の画像表示部に相当する。
【００６１】
タッチ式入力装置１０の動作について例示する。第１の動作例では、まず、ユーザが、２本の指の少なくとも一方で画面Ｓ１（図１参照）を押しながら、この２本の指でローテート操作を行う。この際、軸となっている指が円弧の中心からずれること等により、この２本の指の間隔が多少変化する。この場合、画像を回転させる処理のみ行われ、回転した画像が画面Ｓ１に表示される。なお、軸となっている指で画面Ｓ１を押すことが好ましい。これにより、指を円周方向に移動させることが容易となる。
【００６２】
第２の動作例では、まず、ユーザが、２本の指の少なくとも一方で画面Ｓ１を押しながら、この２本の指でピンチ操作を行う。この際、一方の指を軸にして、他方の指が多少円周方向に動く。この場合、画像を拡大縮小させる処理のみ行われ、拡大または縮小された画像が画面Ｓ１に表示される。
【００６３】
第３の動作例では、まず、ユーザが、画面Ｓ１を押さずに、複合操作を行う。この場合、画像の回転および拡大縮小が共に行われ、回転および拡大縮小された画像が画面Ｓ１に表示される。なお、ユーザが画面Ｓ１を押しながら複合操作を行った場合、上述のように、移動量に応じて、画像の回転または拡大縮小のいずれか一方の処理のみが行われる。
【００６４】
本実施形態では、押し込み操作およびタッチ操作により、画像の回転のみが行われるモード、画像の拡大縮小のみが行われるモード、ならびに、回転および拡大縮小が同時に行われるモードを切り換えることができる。
【００６５】
各モードには、押し込み操作とタッチ操作の組合せが割り当てられる。そして、各モードに割り当てられた操作を行うことにより、各モードが切り換えられる。このため、モードを切り換える際、ローテート操作またはピンチ操作を行う前に、モードを切り換えるための切り換え操作を行う必要がない。また、ローテート操作およびピンチ操作と異なるタッチ操作を各モードに割り当てる必要がないので、各モードに割り当てられる操作が複雑になることがない。
【００６６】
このため、本実施形態では、回転のみが行われるモード、拡大縮小のみが行われるモード、ならびに、回転および拡大縮小が同時に行われるモードを操作性良く切り換えることができる。この結果、画像の表示を変更する際の操作性を向上させることができる。
【００６７】
なお、本実施形態では、タッチ式入力装置は入出力部としてタッチパネルを備えていたが、本発明はこれに限定されない。例えば、本発明のタッチ式入力装置は、ディスプレイおよびタッチパッドのように、入力部と出力部とが別々となっている構成を備えてもよい。
【００６８】
また、本実施形態では、押し込み操作が行われた場合、画像の回転および拡大縮小のうち一方のみが行われるモードが選択されるが、本発明はこれに限定されない。押し込み操作が行われた場合、回転および拡大縮小が同時に行われるモードが選択され、押し込み操作が行われなかった場合、回転および拡大縮小のうち一方のみが行われるモードが選択されてもよい。
【符号の説明】
【００６９】
Ｓ１…画面（操作面）
１０…タッチ式入力装置
１１…タッチパネル
２０…押込センサ部（押込検出部）
３０…位置センサ部（位置検出部）
４０…表示パネル部（画像表示部）
５０…筐体
５１…保護カバー
６０…演算回路モジュール
６１…押込処理部（押込検出部）
６２…位置処理部（位置検出部）
６３…動作算出部（操作受付部）
６４…表示処理部（画像表示部）
２０１…圧電フィルム
２０２，２０３，３０１，３０３…電極
３０１…絶縁性基板
４０１…液晶パネル
４０２…表面偏光板
４０３…裏面偏光板
４０４…バックライト
５０１…接着剤
【図１】
0005971430.tif 000002
【図２】
0005971430.tif 000003
【図３】
0005971430.tif 000004
【図４】
0005971430.tif 000005
【図５】
0005971430.tif 000006
【図６】
0005971430.tif 000007
【図７】
0005971430.tif 000008